(57)【要約】　　　（修正有）【課題】高い係合度を具え、生産時間を短縮し、コストを押さえ、また、電子カードが外力を受けて曲げられても、カバーとリアカバーの間が分離しない使用寿命の長い電子カード組立構造を提供する。【解決方法】内部に収納空間が設けられた本体１２と、該本体の上下表面に形成され、本体よりも低く段差を設けて形成された接続面１６，１６’と、該本体と接続する部分の上下接続面に設けられた少なくとも２つの開口と、該開口内部に形成された少なくとも１つの固定ブロックとを有するリアカバー１０と、上下に一体に係合され、後方端縁部に形成された少なくとも２つ以上の屈曲固定片とを有する上下カバーとを含んでなり、該上下カバーは、両屈曲固定片により両リアカバーの上下接続面に形成された開口内部の固定ブロックに接続されて上下カバーと本体との係合基準点を合わせてリアカバーと上下カバーを係合する。【選択図】図２
0003097208.tif 000002
【実用新案登録請求の範囲】
【請求項１】
内部に収納空間が設けられた本体と、該本体の上下表面に形成され、本体よりも低く段差を設けて形成された接続面と、該本体と接続する部分の上下接続面に設けられた少なくとも２つの開口と、該開口内部に形成された少なくとも１つの固定ブロックとを有するリアカバーと、
上下に一体に係合され、後方端縁部に形成された少なくとも２つ以上の屈曲固定片とを有する上、下カバーとを含んでなり、該上、下カバーは、両屈曲固定片により両リアカバーの上下接続面に形成された開口内部の固定ブロックに接続されて上、下カバーと本体との係合基準点を合わせてリアカバーと上下カバーを係合することを特徴とする電子カード組立構造。
【請求項２】
該リアカバーの収納空間内であって、該上、下カバーの間に、コネクタを有する回路基板が設けられ、該コネクタは、フレームと該上、下カバーとを組み合わせて一体となることを特徴とする請求項１に記載する電子カード組立構造。
【請求項３】
該上、下カバーは、長手方向の側辺に形成された屈曲部により係合されることを特徴とする請求項１に記載する電子カード組立構造。
【請求項４】
長手方向の側辺に上方の側面に干渉片が形成された第１位置決め片を具えた第１屈曲部と、内側へ屈曲された折片と底端部にフックと、該折片と該フックとの境界に複数の第１位置決め片に対応する結合穴を具えた第２屈曲部と、前方端縁部に形成された前方へ延伸した延伸端と、延伸端の両側に形成された前挿片とを具えてなる上、下カバーと、
少なくとも一端に複数の回路接点を具え、該上、下カバーが上、下から被覆するように該第１位置決め片の該干渉片と該結合穴とが互いに係合して連接される回路基板と、
両端縁部に左右に延伸したグリップアームと、左右両側の収納空間と、該グリップアーム上表面に形成された貫通した位置決め槽とを具え、該上、下カバーが上、下方に位置するとともに、且つ、該２つの前挿片が位置決め槽に嵌挿されて、該２つのカバーと連接するフレームと、
回路基板の一端に接続するとともに、且つ、両端縁部に位置決めブロックが形成され、また、フレームの収納空間に係着されるコネクタとを具えてなることを特徴とする電子カード組立構造。
【請求項５】
前記第１屈曲部の前端に上方の側面に干渉片が形成された第２位置決め片が設置され、また、該第２屈曲部の該折片の前端には、該第２位置決め片に対応する槽が形成され、該上、下カバーが係合される時、該第２位置決め片の干渉片が該槽と係合されることを特徴とする請求項４に記載する電子カード組立構造。
【請求項６】
前記前延伸端の両側辺に形成しされた２つの前挿片は、各側面にスルーホールと片体が形成されることを特徴とする請求項４に記載する電子カード組立構造。
【請求項７】
前記カバー本体は後方に、両側辺部に後挿片を具えた後方へ延伸する後延伸端が形成され、上、下に係合するリアカバーには、前方の両側辺部に形成され、上表面に貫通する係合槽を具えた結合ブロックが形成され、該２つの後挿片が該係合槽に嵌挿されることにより、該上、下カバーとリアカバーとを係合させることを特徴とする請求項４に記載する電子カード組立構造。
【請求項８】
前記２つの後挿片は、側面にスルーホール及び片体が形成されることを特徴とする請求項７に記載する電子カード組立構造。
【請求項９】
前記後延伸端の後方端縁部に２つの結合片を設けるとともに、該リアカバーは、前端にリアカバーの表面と段差を設けて連接された延伸片と、該延伸片と該リアカバーの前方端縁部の間に、該結合片の位置に対応する少なくとも２つの隙間が形成され、該結合片を傾斜して該隙間に嵌挿することにより、該カバーとリアカバーの係合基準点を合わせて、該カバーと該リアカバーとを係合させることを特徴とする請求項７に記載する電子カード組立構造。
【請求項１０】
前記リアカバーの内部表面の前端縁部で、且つ、該隙間に対応する位置に２つの収納槽が形成され、該結合片を収納することを特徴とする請求項９に記載する電子カード組立構造。
【請求項１１】
前記結合穴と該槽の上端縁部から下方に延伸して形成された傾斜片は、該干渉片と該傾斜片とを密着させることを特徴とする請求項４或いは５に記載する電子カード組立構造。
【請求項１２】
長手方向端縁部に第１屈曲部と第２屈曲部が形成され、該第１屈曲部は、上方に延伸して側面に干渉片を形成した複数の第１位置決め片を設け、該第２屈曲部は、内側へ屈曲された折片と、折片の底端部に形成されたフックと、該折片と該フックとの境界に形成された複数の該第１位置決め片に対応する結合穴とを設けてなり、該第１位置決め片を該結合穴に位置決めすることを特徴とする電子カード組立構造のカバー。
【請求項１３】
前記第１屈曲部は、前端縁部に側面に干渉片が形成された第２位置決め片を具え、該第２屈曲部は、該折片の底面前端に該第２位置決め片に対応する槽が設けられることを特徴とする請求項１２に記載する電子カード組立構造のカバー。
【請求項１４】
前記結合穴及び該槽は、上端縁部に傾斜片が設けられることを特徴とする請求項１３に記載する電子カード組立構造のカバー。
【請求項１５】
該カバー本体の前端部に形成された前延伸端は、両側辺部に前挿片が設けられ、また、該２つの前挿片の側面にスルーホール及び片体が設けられることを特徴とする請求項１２に記載する電子カード組立構造のカバー。
【請求項１６】
前記カバー本体の後端部に形成された後延伸端は、両側辺部に後挿片が設置され、また、該両後挿片の側面には、スルーホール及び片体が設けられることを特徴とする請求項１２に記載する電子カード組立構造のカバー。
【請求項１７】
長手方向端縁部に設けられ、上方に延伸する複数の位置決め片を設けた第１屈曲部と、前方端縁部に形成された前延伸端と、該前延伸端の両側辺に形成された第１前挿片とを具えてなる上カバーと、
内側に向いた折片と、底端部に形成されたフックと、該折片と該フックの境界に形成された該第１位置決め片に対応する複数の結合穴を具え、長手方向端縁部に設けられた第２屈曲部と、前端部に形成された第２前延伸端と、該第２前延伸端の両側に形成された第２前挿片とを具えてなる下カバーと、
少なくとも一端に複数の回路接点を具えてなり、該上カバーと該下カバーが上、下から被覆するとともに、該第１位置決め片の干渉片と該結合穴とが互いに係合することにより該２つのカバーを係合する回路基板と、
両側辺に左右に延伸して相対し、上表面に貫通する位置決め槽が具えられたグリップアームと、両側面の収納空間とによってなり、該上カバー及び該下カバーを上、下方に位置し、該第１前挿片及び該第２前挿片が位置決め槽に嵌挿されて、該上、下カバーとが係合されるフレームと、
該回路基板の一端に連接され、両端に位置決めブロックが設けられ、該フレームの収納空間に係着されるコネクタとを具えてなることを特徴とする電子カード組立構造。
【請求項１８】
前記第１屈曲部の前端に形成された第２位置決め片は、側面に干渉片が形成され、該第２屈曲部に形成された該折片の前端には、該第２位置決め片に対応する槽が形成され、該第１、下カバーが係合される時、該第２位置決め片の該干渉片と該槽とが互いに係合されることを特徴とする請求項１７に記載する電子カード組立構造。
【請求項１９】
前記第１前挿片と該第２前挿片は、側面にスルーホールが形成され、もう一方の第１前挿片と第２前挿片の側面上には、片体が形成されることを特徴とする請求項１７に記載する電子カード組立構造。
【請求項２０】
前記上、下カバーの後端部に形成された第１後延伸端と第２後延伸端は、両側辺に第１後挿片と第２後挿片を形成し、上、下から係合するリアカバーは、前端部の両側に上方に貫通する係合槽が形成された結合ブロックを具え、該第１、第２後挿片が該係合槽に貫設されて、該上、下カバーと該リアカバーとを係合させることを特徴とする請求項１９に記載する電子カード組立構造。
【請求項２１】
前記一方の第１後挿片及び一方の第２後挿片は、側面にスルーホールが形成され、もう一方の第１後挿片及びもう一方の第２後挿片は、側面に片体が設けられることを特徴とする請求項２０に記載する電子カード組立構造。
【請求項２２】
前記後延伸端の後方側辺の両端部には、２つの結合片が設けられ、該リアカバーは、前端部に該リアカバーの表面と段差を設けて接続された延伸片と、該延伸片及び該リアカバーの前端部との間に形成された該結合片の位置と対応する少なくとも２つの隙間とを具え、該結合片を傾斜して該隙間に嵌挿することにより、該カバー及び該リアカバーの係合基準点を合わせて、該カバーと該リアカバーとを係合させることを特徴とする請求項１９に記載する電子カード組立構造。
【請求項２３】
前記リアカバーの内側表面の前方端縁部の該隙間に対応する位置に形成された２つの収納槽は、該結合片を収納することを特徴とする請求項２２に記載する電子カード組立構造。
【請求項２４】
前記結合穴及び槽の上端部に形成された傾斜片は、該干渉片と該傾斜片とを密着させることを特徴とする請求項１７に記載する電子カード組立構造。
【請求項２５】
相対する長手方向端縁部に形成され、側面に干渉片を形成した複数の第１位置決め片を形成した第１屈曲部を設けた上カバーと、
相対する長手方向端縁部に形成され、側面に内側に向いた折片と、底端のフックと、該折片と該フックとの境界に形成された該第１位置決め片に対応する複数の結合穴とを設け、該第１位置決め片が該結合穴に固定される下カバーとを設けてなることを特徴とする電子カード組立構造のカバーセット。
【請求項２６】
前記第１屈曲部の前端に形成された第２位置決め片は、側面に干渉片が形成され、また、該第２屈曲部の該折片の前端に形成された槽は、第２位置決め片に対応することを特徴とする請求項２５に記載する電子カード組立構造のカバーセット。
【請求項２７】
前記結合穴及び槽の上端部には、傾斜片が設けられることを特徴とする請求項２６に記載する電子カード組立構造のカバーセット。
【請求項２８】
前記第１、下カバーの前方端縁部に形成された前延伸端は、両側辺に前挿片が設けられ、該２つの前挿片の側面には、スルーホール及び片体が設けられることを特徴とする請求項２５に記載する電子カード組立構造のカバーセット。
【請求項２９】
該当上、下カバーの後方端縁部に形成された後延伸端は、両側辺に後挿片が設けられ、該２つの後挿片の側面には、スルーホール及び片体が設けられることを特徴とする請求項２５に記載する電子カード組立構造のカバーセット。
【請求項３０】
電子カードのカバーと連接されるとともに、且つ該カバーの後方端縁部に少なくとも２つの結合片が設けられ、該リアカバーは、本体と、接続端に形成された本体の接続端表面と段差を設けてなる延伸片と、該延伸片及び該接続端の間に形成された該結合片の位置に対応する少なくとも２つの隙間とを設けてなり、該結合片を傾斜して該隙間に嵌挿することにより、該カバー及び該本体の係合基準点を合わせて、該カバーと該本体を係合させることを特徴とする電子カード組立構造のリアカバー。
【請求項３１】
前記本体接続端の内側表面の前方端縁部の該隙間に対応する位置に形成された２つの収納槽は、該結合片を収納することを特徴とする請求項３０に記載するリアカバー。
【考案の詳細な説明】
【０００１】
【考案の属する技術分野】
本考案は、電子カードの構造に関し、特に、電子カード組立構造、そのカバー、そのカバーセットおよびそのリアカバーの改良に関する。
【０００２】
【従来の技術】
マルチメディア産業の発展や、電子技術の進歩とパーソナルコンピューターの普及に伴い、情報化製品は、多くの人々にとって不可欠な装備となっている。ノートブック型コンピューターやパーソナル携帯情報機器などの携帯移動式製品は、マイクロ化へ発展し、限られた空間において製品の各機能を拡張するため、多くの電子カードにより対応し、また、電子カードは、サイズにより、トールカードとショートカードに分類される。
【０００３】
一般的に、電子カードは、回路基板を具えてなる。また、リアカバー及び上、下２つの金属カバーを係合し、その内部に回路基板を設ける。該２つのカバーの前端部には、回路基板と電気的に接続するコネクタが設けられ、該コネクタを介して、電子カードが他の電子装置に実装される。しかしながら、従来の電子カードは、上、下の２つのカバーとリアカバーとの間に、超音波や、ホットメルト接着剤或いは両面テープ等の粘着方式で両者を係合し固定するため、この粘着方式の加工工程は、複雑で生産時間も長く、組立が容易ではないだけでなく、コストも高い。さらに、この種の粘着固定による設計は、電子カードが外力により容易に曲げられ、カバーとリアカバーとの間の係合が無理に分離されるため、電子カードが破壊されるだけでなく、電子カードの保護効果が低減される。
【０００４】
【考案が解決しようとする課題】
この考案は、高い係合度を具え、生産時間を短縮し、コストを押さえた電子カード組立構造、そのカバー、そのカバーセットおよびそのリアカバーを提供することを課題とする。
【０００５】
また、電子カードが外力を受けて曲げられても、カバーとリアカバーの間が分離しない使用寿命の長い電子カード組立構造、そのカバー、そのカバーセットおよびそのリアカバーを提供することを課題とする。
【０００６】
【課題を解決するための手段】
そこで、考案者は、従来の技術に見られる欠点に鑑み鋭意研究を重ねた結果、内部に収納空間が設けられた本体と、該本体の上下表面に形成され、本体よりも低く段差を設けて形成された接続面と、該本体と接続する部分の上下接続面に設けられた少なくとも２つの開口と、該開口内部に形成された少なくとも１つの固定ブロックとを有するリアカバーと、上下に一体に係合され、後方端縁部に形成された少なくとも２つ以上の屈曲固定片とを有する上下カバーとによってなる電子カード組立構造によって課題を解決できる点に着眼し、かかる知見に基づいて本考案を完成させた。
【０００７】
以下、この考案について説明する。
請求項１に記載する電子カード組立構造は、内部に収納空間が設けられた本体と、該本体の上下表面に形成され、本体よりも低く段差を設けて形成された接続面と、該本体と接続する部分の上下接続面に設けられた少なくとも２つの開口と、該開口内部に形成された少なくとも１つの固定ブロックとを有するリアカバーと、上下に一体に係合され、後方端縁部に形成された少なくとも２つ以上の屈曲固定片とを有する上、下カバーとを含んでなり、該上、下カバーは、両屈曲固定片により両リアカバーの上下接続面に形成された開口内部の固定ブロックに接続されて上、下カバーと本体との係合基準点を合わせてリアカバーと上、下カバーを係合する。
【０００８】
請求項２に記載する電子カード組立構造は、請求項１に記載するリアカバーの収納空間内であって、該上、下カバーの間に、コネクタを有する回路基板が設けられ、該コネクタは、フレームと該上、下カバーとを組み合わせて一体となる。
【０００９】
請求項３に記載する電子カード組立構造は、前記上、下カバーが、長手方向の側辺に形成された屈曲部により係合される。
【００１０】
請求項４に記載する電子カード組立構は、長手方向の側辺に上方の側面に干渉片が形成された第１位置決め片を具えた第１屈曲部と、内側へ屈曲された折片と底端部にフックと、該折片と該フックとの境界に複数の第１位置決め片に対応する結合穴を具えた第２屈曲部と、前方端縁部に形成された前方へ延伸した延伸端と、延伸端の両側に形成された前挿片とを具えてなる上、下カバーと、少なくとも一端に複数の回路接点を具え、該上、下カバーが上、下から被覆するように該第１位置決め片の該干渉片と該結合穴とが互いに係合して連接される回路基板と、両端縁部に左右に延伸したグリップアームと、左右両側の収納空間と、該グリップアーム上表面に形成された貫通した位置決め槽とを具え、該上、下カバーが上、下方に位置するとともに、且つ、該２つの前挿片が位置決め槽に嵌挿されて、該２つのカバーと連接するフレームと、回路基板の一端に接続するとともに、且つ、両端縁部に位置決めブロックが形成され、また、フレームの収納空間に係着されるコネクタとを具えてなる。
【００１１】
請求項５に記載する電子カード組立構造は、請求項４に記載する第１屈曲部の前端に上方の側面に干渉片が形成された第２位置決め片が設置され、また、該第２屈曲部の該折片の前端には、該第２位置決め片に対応する槽が形成され、該上、下カバーが係合される時、該第２位置決め片の干渉片が該槽と係合される。
【００１２】
請求項６に記載する電子カード組立構造は、請求項５に記載する前延伸端の両側辺に形成しされた２つの前挿片が、各側面にスルーホールと片体が形成される。
【００１３】
請求項７に記載する電子カード組立構造は、請求項６に記載するカバー本体の後方には、両側辺部に後挿片を具えた後方へ延伸する後延伸端が形成され、上、下に係合するリアカバーには、前方の両側辺部に形成され、上表面に貫通する係合槽を具えた結合ブロックが形成され、該２つの後挿片が該係合槽に嵌挿されることにより、該上、下カバーとリアカバーとを係合させる。
【００１４】
請求項８に記載する電子カード組立構造は、請求項７に記載する２つの後挿片が、側面にスルーホール及び片体が形成される。
【００１５】
請求項９に記載する電子カード組立構造は、請求項８に記載する後延伸端の後方端縁部に２つの結合片を設けるとともに、該リアカバーは、前端にリアカバーの表面と段差を設けて連接された延伸片と、該延伸片と該リアカバーの前方端縁部の間に、該結合片の位置に対応する少なくとも２つの隙間が形成され、該結合片を傾斜して該隙間に嵌挿することにより、該カバーとリアカバーの係合基準点を合わせて、該カバーと該リアカバーとを係合させる。
【００１６】
請求項１０に記載する電子カード組立構造は、請求項９に記載するリアカバーの内部表面の前端縁部で、且つ、該隙間に対応する位置に２つの収納槽が形成され、該結合片を収納する。
【００１７】
請求項１１に記載する電子カード組立構造は、請求項４或いは請求項５に記載する結合穴と該槽の上端縁部から下方に延伸して形成された傾斜片は、該干渉片と該傾斜片とを密着させる。
【００１８】
請求項１２に記載する電子カード組立構造は、長手方向端縁部に第１屈曲部と第２屈曲部が形成され、該第１屈曲部は、上方に延伸して側面に干渉片を形成した複数の第１位置決め片を設け、該第２屈曲部は、内側へ屈曲された折片と、折片の底端部に形成されたフックと、該折片と該フックとの境界に形成された複数の該第１位置決め片に対応する結合穴とを設けてなり、該第１位置決め片を該結合穴に位置決めする。
【００１９】
請求項１３に記載する電子カード組立構造のカバーは、請求項１２に記載する第１屈曲部が、前端縁部に側面に干渉片が形成された第２位置決め片を具え、該第２屈曲部は、該折片の底面前端に該第２位置決め片に対応する槽が設けられる。
【００２０】
請求項１４に記載する電子カード組立構造のカバーは、請求項１３に記載する結合穴及び該槽が、上端縁部に傾斜片が設けられる。
【００２１】
請求項１５に記載する電子カード組立構造のカバーは、請求項１２に記載するカバー本体の前端部に形成された前延伸端が、両側辺部に前挿片が設けられ、また、該２つの前挿片の側面にスルーホール及び片体が設けられる。
【００２２】
請求項１６に記載する電子カード組立構造のカバーは、請求項１２に記載するカバー本体の後端部に形成された後延伸端が、両側辺部に後挿片が設置され、また、該両後挿片の側面には、スルーホール及び片体が設けられる。
【００２３】
請求項１７に記載する電子カード組立構造は、長手方向端縁部に設けられ、上方に延伸する複数の位置決め片を設けた第１屈曲部と、前方端縁部に形成された前延伸端と、該前延伸端の両側辺に形成された第１前挿片とを具えてなる上カバーと、内側に向いた折片と、底端部に形成されたフックと、該折片と該フックの境界に形成された該第１位置決め片に対応する複数の結合穴を具え、長手方向端縁部に設けられた第２屈曲部と、前端部に形成された第２前延伸端と、該第２前延伸端の両側に形成された第２前挿片とを具えてなる下カバーと、少なくとも一端に複数の回路接点を具えてなり、該上カバーと該下カバーが上、下から被覆するとともに、該第１位置決め片の干渉片と該結合穴とが互いに係合することにより該２つのカバーを係合する回路基板と、両側辺に左右に延伸して相対し、上表面に貫通する位置決め槽が具えられたグリップアームと、両側面の収納空間とによってなり、該上カバーおよび下カバーを上、下方に設けて、該第１前挿片及び該第２前挿片が位置決め槽に嵌挿されて、該上、下カバーとが係合されるフレームと、該回路基板の一端に連接され、両端に位置決めブロックが設けられ、該フレームの収納空間に係着されるコネクタとを具えてなる。
【００２４】
請求項１８に記載する電子カード組立構造は、請求項１７に記載する第１屈曲部の前端に形成された第２位置決め片は、側面に干渉片が形成され、該第２屈曲部に形成された該折片の前端には、該第２位置決め片に対応する槽が形成され、該上、下カバーが係合される時、該第２位置決め片の該干渉片と該槽とが互いに係合される。
【００２５】
請求項１９に記載する電子カード組立構造は、請求項１７に記載する第１前挿片と該第２前挿片は、側面にスルーホールが形成され、もう一方の第１前挿片と第２前挿片の側面上には、片体が形成される。
【００２６】
請求項２０に記載する電子カード組立構造は、請求項１９に記載する上、下カバーの後端部に形成された第１後延伸端と第２後延伸端が、両側辺に第１後挿片と第２後挿片を形成し、上、下から係合するリアカバーは、前端部の両側に上方に貫通する係合槽が形成された結合ブロックを具え、該第１、第２後挿片が該係合槽に貫設されて、該上、下カバーと該リアカバーとを係合させる。
【００２７】
請求項２１に記載する電子カード組立構造は、請求項２０に記載する一方の第１後挿片及び一方の第２後挿片が、側面にスルーホールが形成され、もう一方の第１後挿片及びもう一方の第２後挿片は、側面に片体が設けられる。
【００２８】
請求項２２に記載する電子カード組立構造は、請求項１９に記載する後延伸端の後方側辺の両端部には、２つの結合片が設けられ、該リアカバーは、前端部に該リアカバーの表面と段差を設けて接続された延伸片と、該延伸片及び該リアカバーの前端部との間に形成された該結合片の位置と対応する少なくとも２つの隙間とを具え、該結合片を傾斜して該隙間に嵌挿することにより、該カバー及び該リアカバーの係合基準点を合わせて、該カバーと該リアカバーとを係合させる。
【００２９】
請求項２３に記載する電子カード組立構造は、請求項２２に記載するリアカバーの内側表面の前方端縁部の該隙間に対応する位置に形成された２つの収納槽は、該結合片を収納する。
【００３０】
請求項２４に記載する電子カード組立構造は、請求項１７に記載する結合穴及び槽の上端部に形成された傾斜片が、該干渉片と該傾斜片とを密着させる。
【００３１】
請求項２５に記載する電子カード組立構造のカバーセットは、相対する長手方向端縁部に形成され、側面に干渉片を形成した複数の第１位置決め片を形成した第１屈曲部を設けた上カバーと、相対する長手方向端縁部に形成され、側面に内側に向いた折片と、底端のフックと、該折片と該フックとの境界に形成された該第１位置決め片に対応する複数の結合穴とを設け、該第１位置決め片が該結合穴に固定される下カバーとを設けてなる。
【００３２】
請求項２６に記載する電子カード組立構造のカバーセットは、請求項２５に記載する第１屈曲部の前端に形成された第２位置決め片が、側面に干渉片が形成され、また、該第２屈曲部の該折片の前端に形成された槽は、第２位置決め片に対応する。
【００３３】
請求項２７に記載する電子カード組立構造のカバーセットは、請求項２６に記載する結合穴及び槽の上端部には、傾斜片が設けられる。
【００３４】
請求項２８に記載する電子カード組立構造のカバーセットは、請求項２５に記載する上、下カバーの前方端縁部に形成された前延伸端が、両側辺に前挿片が設けられ、該２つの前挿片の側面には、スルーホール及び片体が設けられる。
【００３５】
請求項２９に記載する電子カード組立構造のカバーセットは、請求項２５に記載する上、下カバーの後方端縁部に形成された後延伸端が、両側辺に後挿片が設けられ、該２つの後挿片の側面には、スルーホール及び片体が設けられる。
【００３６】
請求項３０に記載する電子カード組立構造のリアカバーは、電子カードのカバーと連接されるとともに、且つ該カバーの後方端縁部に少なくとも２つの結合片が設けられ、該リアカバーは、本体と、接続端に形成された本体の接続端表面と段差を設けてなる延伸片と、該延伸片及び該接続端の間に形成された該結合片の位置に対応する少なくとも２つの隙間とを設けてなり、該結合片を傾斜して該隙間に嵌挿することにより、該カバー及び該本体の係合基準点を合わせて、該カバーと該本体を係合させる。
【００３７】
請求項３１に記載する電子カード組立構造のリアカバーは、請求項３０に記載する本体接続端の内側表面の前方端縁部の該隙間に対応する位置に形成された２つの収納槽は、該結合片を収納する。
【００３８】
【考案の実施の形態】
この考案は、高い係合度を具え、生産時間を短縮し、コストを押さえ、また、電子カードが外力を受けて曲げられても、カバーとリアカバーの間が分離しない使用寿命の長い電子カード組立構造を提供するものであって、内部に収納空間が設けられた本体と、該本体の上下表面に形成され、本体よりも低く段差を設けて形成された接続面と、該本体と接続する部分の上下接続面に設けられた少なくとも２つの開口と、該開口内部に形成された少なくとも１つの固定ブロックとを有するリアカバーと、上下に一体に係合され、後方端縁部に形成された少なくとも２つ以上の屈曲固定片とを有する上下カバーとによって構成する。
かかる電子カード組立構造の構造と特徴を詳述するために、具体的な実施例を挙げ、図示を参照にして以下に説明する。
【００３９】
【実施例】
この考案の斜視図を図１に開示し、分解図を図２に開示する。図１、図２に開示するように、本体（１２）の内部に収納空間（１４）が設けられたリアカバー（１０）は、図３に開示するように、該本体（１２）の上、下表面には、一段低い面に形成された上接続面（１６）と下接続面（１６’）と、該上、下接続面（１６）（１６’）上と本体（１２）との接続部に近い位置の長手方向に設けられた２つの開口（１８）と、該開口（１８）の内側に形成された固定ブロック（２０）と、リアカバー（１０）本体（１２）の対向する短い両側辺に形成された挿接部（２２）とによって構成される。
【００４０】
また、上下に一体に係合される上カバー（２４）及び下カバー（２４’）は、該上カバー（２４）と下カバー（２４’）の長手方向端縁部に設けられた第１屈曲部（２６）及び第２屈曲部（３０）と、該第１屈曲部（２６）の上に形成された複数の位置決め片（２８）と、内側へ屈曲された該第２屈曲部（３０）上に形成された複数の位置決め片（２８）に対応する結合穴（３２）と、該上カバーと下カバー（２４）（２４’）前端に形成された前延伸端（３４）と、該前延伸端（３４）の両側に形成された前挿片（３６）と、上カバー（２４）下カバー（２４’）をリアカバー（１０）に実装する後端に設けた２つの屈曲固定片（３８）と、該上、下カバー（２４）（２４’）の後端の両側に形成された後挿片（３９）とによって構成される。
【００４１】
上カバー（２４）と下カバー（２４’）は、該屈曲固定片（３８）により、リアカバー（１０）の上、下接続面（１６）（１６’）に形成された開口（１８）内に実装され、固定ブロック（２０）上に係着される。したがって、該上カバー（２４）（２４’）は本体（１２）の結合基準点と合わされとともに、且つ、上、下カバー（２４）（２４’）の後端の両側に形成された後挿片（３９）は、リアカバー（１０）の挿接部（２２）内に挿設される。また、上カバー（２４）の両側に形成された第１屈曲部（２６）の位置決め片（２８）と第２屈曲部（３０）の結合穴（３２）は、下カバー（２４’）の第１屈曲部（２６）の位置決め片（２８）と第２屈曲部（３０）の結合穴（３２）に係合され、リアカバー（１０）と上、下カバー（２４）（２４’）を一体に結合させる。さらに、本体（１２）と、上、下接続面（１６）（１６’）とには、段差が存在するため、上、下接続面（１６）（１６’）上に実装される上、下カバー（２４）（２４’）は、該リアカバー（１０）と同一平面に形成されて、上、下カバー（２４）（２４’）とリアカバー（１０）とを緊密に結合させる。
【００４２】
上、下カバー（２４）（２４’）の一側辺に形成した前延伸端（３４）の間にフレーム（４０）が実装される。該フレーム（４０）は、両端縁部にグリップアーム（４２）が設けられ、上、下カバー（２４）（２４’）に形成された前挿片（３６）が、フレーム（４０）に設けた該グリップアーム（４２）に嵌挿される。また、回路基板（４４）の回路接点はコネクタ（４６）に設けた複数の接続端子にはんだ付けされ、コネクタ（４６）を有する該回路基板（４４）は、リアカバー（１０）の収納空間（１４）内側の、且つ、該上、下カバー（２４）（２４’）の間に位置し、コネクタ（４６）は、フレーム（４０）上に位置し、上、下カバー（２４）（２４’）から露出し、外との接点に供される。
【００４３】
この考案の電子ショートカード組立構造における各素子構造と組立関係位置を説明し、組立過程における電子ショートカードの各素子の組み立て過程の順序を説明する。
２つのグリップアーム（４２）によりフレーム（４０）は、下カバー（２４’）の前挿片（３６）の上に設けられる。また、リアカバー（１０）は、下カバー（２４’）の後上方に設けられ、後挿片（３９）は、リアカバー（１０）の挿接部（２２）内に嵌挿されて固定される。さらに、コネクタ（４６）を有する回路基板（４４）は、下カバー（２４’）の上方に設けられるとともに、コネクタ（４６）が、フレーム（４０）の上に係着され、前挿片（３６）、後挿片（３９）、第１屈曲部（２６）、第２屈曲部（３０）により上カバー（２４）が、リアカバー（１０）、下カバー（２４’）、フレーム（４０）に実装される。この組立により、容易にはずれない電子ショートカード組立構造を形成する。
【００４４】
また、この考案の電子ショートカードのリアカバー（１０）と下カバー（２４’）の係着構造は、図４に開示するように、下カバー（２４’）の後端縁部に、３つの略上方へ傾斜する挿合片（４８）が設けられる。また、リアカバー（１０）の本体（１２）の上、下側辺で、且つ上、下接続面（１６）（１６’）の接続部位の近くに、該挿合片（４８）に対応する３つの嵌槽（５０）が設けられ、挿合片（４８）が嵌槽（５０）内に嵌挿されることにより、下カバー（２４’）とリアカバー（１０）とが係着される。
【００４５】
以上は、本考案の電子ショートカードの組立構造であり、次に、この考案の電子トールカードの組立構造を説明する。この考案の電子トールカードの斜視図を図５に開示し、構造斜視図を図６に開示する。電子カード（１００）は、２つの上下に組み合わさる上カバー、下カバー（１２０）（１２０’）と、該上カバー、下カバー（１２０）（１２０’）の前方に位置するフレーム（４４０）と、該上カバー、下カバー（１２０）（１２０’）の間に設けられる回路基板（６００）と、該回路基板（６００）の前方で、且つ上カバー、下カバー（１２０）（１２０’）の間に位置するコネクタ（５４０）と、該上カバー、下カバー（１２０）（１２０’）の後方に設けられる上、下リアカバー（７６０）とによって構成される。
【００４６】
図７に開示するように、該上カバー、下カバー（１２０）（１２０’）は、カバー本体（１３０）の長手方向端縁部に第１屈曲部（１４０）及び第２屈曲部（１６０）が設けられる。該第１屈曲部（１４０）は、上方に延伸した複数の第１位置決め片（１８０）と、前端には、第２位置決め片（２００）が形成される。該第１、第２位置決め片（１８０）（２００）の側面には、内側の頂面から外へ延伸する干渉片（２４０）が設けられた穴（２２０）が形成される。第２屈曲部（１６０）は内側へ屈曲され折片（２６０）を形成する。該折片（２６０）は前端に第２位置決め片（２００）に対応する槽（２８０）が形成され、また、折片（２６０）の底端縁部で、且つ、槽（２８０）の下方にフック（３００）が設けられ、該フック（３００）と折片（２６０）との境界には、第１位置決め片（１８０）に対応する、複数の結合穴（３２０）が形成される。また、カバー本体（１３０）の前方端縁部には、両側辺に第１前挿片（３６０）と第２前挿片（３８０）を形成した前延伸端（３４０）が形成される。該第１前挿片（３６０）の側面には、スルーホール（４００）が形成され、該第２前挿片（３８０）上には、片体（４２０）が形成される。
【００４７】
該上カバー、下カバー（１２０）（１２０’）の前方に設けるフレーム（４４０）は、左右両端縁部に、フレーム（４４０）前方側面両端と収納空間（４８０）を形成する略Ｌ字状を呈したグリップアーム（４６０）が形成される。該グリップアーム（４６０）は、上方に形成された貫通する位置決め槽（５００）と、該フレーム（４４０）の後方両端縁部に形成されＬ字状の上方部分に位置する連結体（５２０）とによってなる。また、該コネクタ（５４０）は、両側面に位置決めブロック（５６０）が設けられ、後側面に形成された複数の接続端子（５８０）の最終ピンは、回路基板（６００）の回路接点（６２０）に、はんだ付けされる。
【００４８】
カバー本体（１３０）の後端に形成した後延伸端（６４０）は、両端縁部に上方へ延伸し、側面にスルーホール（７００）及び片体（７２０）が形成された第１後挿片（６６０）と第２後挿片（６８０）が設けられる。該後延伸端（６４０）の後方端縁部には、２つの結合片（７４０）が形成される。また、上、下に合わせてなるリアカバー（７６０）は、前方の両端縁部に形成した結合ブロック（８００）と、該結合ブロック（８００）の上方に形成された貫通する係合槽（８２０）と、該リアカバー（７６０）の前方の少し低い位置に形成された延伸片（９９４）と、該延伸片（９９４）の一側辺には、上カバー、下カバー（１２０）（１２０’）の結合片（７４０）に対応して形成された２つの隙間（９９６）と、該隙間（９９６）に対応し、接続端の内側に形成された２つの収納槽（９９８）とによってなる。該リアカバー（７６０）と上カバー、下カバー（１２０）（１２０’）の表面との接続端には段差が形成される。
【００４９】
この考案は、組み立てる時、フレーム（４４０）に形成した位置決め槽（５００）が、上カバー（１２０）の前延伸端（３４０）の両端縁に形成された第１、第２前挿片（３６０）（３８０）に嵌着されて、フレーム（４４０）の後方側面に形成された連結体（５２０）が、上カバー（１２０）の屈曲部（１４０）（１６０）の内側の前端に位置決められる。コネクタ（５４０）の位置決めブロック（５６０）が、フレーム（４４０）に形成した両収納空間（４８０）の中に係着されて、コネクタ（５４０）の後方側面に、はんだ付けされた回路基板（６００）は、上カバー（１２０）の内側に設けられる。上カバー、下カバー（１２０）（１２０’）に形成された両結合片（７４０）が、斜めにリアカバー（７６０）の隙間（９９６）の中に挿入されて、該上カバー、下カバー（１２０）（１２０’）及び２つのリアカバー（７６０）は、組み合わせ基準点をあわせられ、また、第１、第２後挿片（６６０）（６８０）は、リアカバー（７６０）の係合槽（８２０）の中に嵌挿され、さらに、上カバー、下カバー（１２０）（１２０’）及びリアカバー（７６０）が平らにされて、結合片（７４０）は、収納槽（９９８）の内部に設けられ、上カバー、下カバー（１２０）（１２０’）とリアカバー（７６０）とを緊密に結合させる目的を達成する。
【００５０】
図５に開示するＡ―Ａ’線の断面図を図８に開示する。図８に開示するように、下カバー（１２０’）の第１屈曲部（１４０）及び第２屈曲部（１６０）は、上カバー（１２０）の第２屈曲部（１６０）の内側と第１屈曲部（１４０）の外側に合わさるとともに、図５に開示するＢ−Ｂ’線とＣ−Ｃ’線の断面図を図９及び図１０に開示する。図９、図１０は、上カバー、下カバー（１２０）（１２０’）の間に位置する第１位置決め片（１８０）と結合穴（３２０）の組合断面図と上カバー、下カバー（１２０）（１２０’）の間に位置する第２位置決め片（２００）と槽（２８０）の組合断面図を表わし、図に開示するように、第１位置決め片（１８０）は、下カバー（１２０’）の結合穴（３２０）の中に嵌挿され、干渉片（２４０）の頂上部は、結合穴（３２０）の頂上部に係合されるとともに、第２位置決め片（２００）の側面に形成された干渉片（２４０）は、槽（２８０）の頂上部に係合され、更に、上カバー、下カバー（１２０）（１２０’）は、上、下から回路基板（６００）を被覆するように係合される。
【００５１】
また、上カバー、下カバー（１２０）（１２０’）を係合させる時、下カバー（１２０’）の前延伸端（３４０）の両側に形成された第１、第２前挿片（３６０）（３８０）は、フレーム（４４０）の両位置決め槽（５００）に穿設され、また、第１、第２前挿片（３６０）（３８０）の間に形成されたスルーホール（４００）と片体（４２０）とが互いに係合されて、フレーム（４４０）は、確実に上カバー、下カバー（１２０）（１２０’）と組み合わされ、図１１に開示するように、上カバー、下カバー（１２０）（１２０’）の係合するとともに、２つのリアカバー（７６０）の係合槽（８２０）は、互いに貫通され、第１、第２後挿片（６６０）（６８０）は、同時に貫通された係合槽（８２０）の中に嵌挿される。また、スルーホール（７００）と片体（７２０）との係合により、両リアカバー（７６０）と上カバー、下カバー（１２０）（１２０’）は係合され、リアカバー（７６０）の設計は、電子カード（１００）全体の抜き取りや挿設を容易にし、また、電子カード（１００）全体の強度を上層させる。
【００５２】
この考案において、結合穴（３２０）が上カバー、下カバー（１２０）（１２０’）の一方の屈曲部（１６０）の内側に形成されるため、図５に開示するように、第１、第２位置決め片（１８０）（２００）は、上カバー、下カバー（１２０）（１２０’）の内側に位置決めされ、係合する跡を残さないとともに、また、この考案における組立時、結合穴（３２０）が折片（２６０）とフック（３００）との境界に形成されるため、位置決め片は、確実に定位置に固定されて、スライドし難いため、係合度が高く、また、超音波やハットメルト接着剤或いはテープなどの粘着過程が必要ないので、生産における実装が簡単で、生産時間を短縮し、コストを低減できるだけでなく、上カバー、下カバー（１２０）（１２０’）が高度に係合し密着されることで、電子カードに対してさらなるシールド効果と、グラウンド効果を有する。
【００５３】
また、上述のリアカバー（７６０）の構造においては、上カバー、下カバー（１２０）（１２０’）の結合片（７４０）が斜めに該隙間（９９６）に挿入されて表面が平らにされた後、上カバー、下カバー（１２０）（１２０’）の後端とリアカバー（７６０）の延伸片（９９４）が密着して、延伸片（９９４）により上カバー、下カバー（１２０）（１２０’）に支持力を供して、上カバー、下カバー（１２０）（１２０’）とリアカバー（７６０）との係合がより安定し、電子カード（１００）が曲げられても、上カバー、下カバー（１２０）（１２０’）とリアカバー（７６０）との係合部分が容易に分裂して離れることなく、電子カード（１００）の使用寿命及び使用上の安全性を上昇する。
【００５４】
さらに、この考案は、使用者自身により係合し組み立てられるので、電子カード（１００）の設計者により、いつでも、回路基板（６００）の設計や機能需要に従って異なる設計ができ、電子カード（１００）が延伸カードの規格により制限されても、より多くの回路設計や拡張空間を具え、且つ、この考案は、電子カード（１００）の前端に設けられるフレーム（４４０）でコネクタ（５４０）を挟み、上カバー、下カバー（１２０）（１２０’）に被覆される空間には、フレームを具えない設計であるため、電子カード（１００）の内部空間を増大でき、電子カードの内部における異なる回路基板を合わせた設計に有利であるとともに、また、リアカバー（７６０）は、完全に係合方式で係合されるため、従来のはんだ付けの加工過程が省略できる。
【００５５】
また、コネクタ（５４０）とフレーム（４４０）の間は、係着方式で接続されるため、他の形態のコネクタ（８４０）にも適用できる。図１２に開示するように、該コネクタ（８４０）の両端縁部には、横方向へ延伸する固定突出ブロック（８６０）が形成され、該固定突出ブロック（８６０）がフレーム（４４０）の収納空間（４８０）の中に係着されて、コネクタ（８４０）とフレーム（４４０）とが連接される。即ち、この考案の電子カードは、異なる形態のコネクタに適用でき、電子カードの許容インターフェースを拡張し、広範囲に応用できる。
【００５６】
また、上述の槽（２８０）の頂上部と結合穴（３２０）の頂上部から、下方に延伸された傾斜片（８８０）が設けられる。図１３及び図１４に開示するように、上カバー、下カバー（１２０）（１２０’）を組み立てる時、第１と第２位置決め片（１８０）（２００）の側面に形成された干渉片（２４０）が、傾斜片（８８０）と密着して、傾斜片（８８０）と干渉片（２４０）とが面で接触するため、上カバー、下カバー（１２０）（１２０’）の間の係合度を上昇させる。また、図９に開示されたフック（３００）は、他の実施形態であってもよい。図１５に開示するように、フック（３００）は、上方に向けて直角に折り曲げられ、９０度を呈するＵ字型ストッパーを形成する。電子カード（１００）が曲げられる時、第１屈曲部（１４０）と第１位置決め片（１８０）がストッパーにより止められ、この設計では、電子カード（１００）が曲げられても簡単に分裂し離れることなく、組立構造の係合強度がより安定する。
【００５７】
また、この考案における上、下カバーは、上述の構造の他に、図１６及び図１７に開示するように、上カバー（９００）と第２カバー（９２０）であるカバーセットでもよい。上カバー（９００）の長手方向端縁部が、下方に延伸して第１屈曲部（９４０）を形成し、該第１屈曲部（９４０）は、上方に延伸して形成された複数の第１位置決め片（９６０）と、前端に形成された第２位置決め片（９８０）と、該第１、第２位置決め片（９６０）（９８０）の側面に形成された外方向へ延伸する干渉片（９８２）とによってなり、また、下カバー（９２０）の長手方向の端縁部が、上方に延伸して第２屈曲部（９８４）を形成する。該第２屈曲部（９８４）は内側へ屈曲されて形成された折片（９８６）と、該折片（９８６）の底辺の前端に形成された第２位置決め片（９８０）に対応する槽（９８８）と、該折片（９８６）の底辺で、且つ槽（９８８）の下方に形成されたフック（９９０）と、該折片（９８６）との境界に形成された第１位置決め片（９６０）に対応する複数の結合穴（９９２）とによってなり、上カバー（９００）の両側辺に形成された第１屈曲部（９４０）は、下カバー（９２０）の第２屈曲部（９８４）の内側と密着し、また、第１位置決め片（９６０）が下カバー（９２０）の両側辺に形成された結合穴（９９２）の中に嵌挿されて、干渉片（９８２）の頂上部が、結合穴（９９２）の頂上部に係合されるとともに、第２位置決め片（９８０）に形成された干渉片（９８２）は、槽（９８８）の頂上部に係合され、上、下カバー（９００）（９２０）は、上、下から互いに係合される。該上、下カバー（９００）（９２０）の他の構造及びフレームとリアカバーとの間の係合関係は、上述と同じであるので、ここでは詳述しない。
【００５８】
この考案の電子カード組立構造においては、ショートカードであっても、トールカードであっても、粘着し係合させる加工が必要ない。即ち、完全な係合方式により、安定した係合が実現でき、カバーとリアカバーは、電子カードが外力を受けて曲げられても分裂して離れることがなく、使用寿命が長く、且つ、電子カード組立構造は、実装簡単で使用者自身でも組み立てられるため、便利で、低コストである効果が達成される。
【００５９】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の登録請求の範囲に属するものとする。
【００６０】
【考案の効果】
この考案の電子カード組立構造は、ショートカードであっても、トールカードであっても、粘着し係合させる加工が必要なく、完全な係合方式により、安定した係合が実現でき、カバーとリアカバーは、電子カードが外力を受けて曲げられても分裂して離れることがなくより長い使用寿命を得られるとともに、且つ、電子カード組立構造には、実装簡単で使用者自身でも組み立てられるため便利で、低コストである効果を有する。
【図面の簡単な説明】
【図１】この考案の電子カード組立構造を表わす斜視図である。
【図２】図１に開示する電子カード組立構造を表わす分解図である。
【図３】図１に開示する電子カード組立構造のリアカバーを表わす斜視図である。
【図４】図１に開示する電子カード組立構造の斜視図である。
【図５】この考案の電子カード組立構造の斜視図である。
【図６】図５に開示する電子カード組立構造の分解図である。
【図７】図５に開示する電子カード組立構造の斜視図である。
【図８】図５に開示するＡ−Ａ’線の断面図である。
【図９】図５に開示するＢ−Ｂ’線の断面図である。
【図１０】図５に開示するＣ−Ｃ’線の断面図である。
【図１１】図５に開示するＤ−Ｄ’線の断面図である。
【図１２】他のコネクタを表わす斜視図である。
【図１３】図９に開示する他の実施例を表わす断面図である。
【図１４】図１０に開示する他の実施例を表わす断面図である。
【図１５】図９に開示するその他の実施例を表わす断面図である。
【図１６】この考案のカバーの他の実施例を表わす斜視図である。
【図１７】この考案のカバーのその他の実施例を表わす斜視図である。
【符号の説明】
１０　　　　リアカバー
１２　　　　本体
１４　　　　収納空間
１６　　　　上接続面
１６’　　　下接続面
１８　　　　開口
２０　　　　固定ブロック
２２　　　　挿接部
２４　　　　上カバー
２４’　　　下カバー
２６　　　　第１屈曲部
２８　　　　位置決め片
３０　　　　第２屈曲部
３２　　　　結合穴
３４　　　　前延伸端
３６　　　　前挿片
３８　　　　屈曲固定片
３９　　　　後挿片
４０　　　　フレーム
４２　　　　グリップアーム
４４　　　　回路基板
４６　　　　コネクタ
４８　　　　挿合片
５０　　　　嵌槽
１００　　　電子カード
１２０　　　上カバー
１２０’　　下カバー
１３０　　　本体
１４０　　　第１屈曲部
１６０　　　第２屈曲部
１８０　　　第１位置決め片
２００　　　第２位置決め片
２２０　　　穴
２４０　　　干渉片
２６０　　　折片
２８０　　　槽
３００　　　フック
３２０　　　結合穴
３４０　　　前延伸端
３６０　　　第１前挿片
３８０　　　第２前挿片
４００　　　スルーホール
４２０　　　片体
４４０　　　フレーム
４６０　　　グリップアーム
５００　　　収納空間
５２０　　　連結体
５４０　　　コネクタ
５６０　　　位置決めブロック
５８０　　　接続端子
６００　　　回路基板
６２０　　　回路接点
６４０　　　後延伸端
６６０　　　第１後挿片
６８０　　　第２後挿片
７００　　　スルーホール
７２０　　　片体
７４０　　　結合片
７６０　　　リアカバー
８００　　　結合ブロック
８２０　　　係合槽
８４０　　　コネクタ
８６０　　　固定突出ブロック
８８０　　　傾斜片
９００　　　上カバー
９２０　　　下カバー
９４０　　　第１屈曲部
９６０　　　第１位置決め片
９８０　　　第２位置決め片
９８２　　　干渉片
９８４　　　第２屈曲部
９８６　　　折片
９８８　　　槽
９９０　　　フック
９９２　　　結合穴
９９４　　　延伸片
９９６　　　隙間
９９８　　　収納槽
【図１】
0003097208.tif 000003
【図２】
0003097208.tif 000004
【図３】
0003097208.tif 000005
【図４】
0003097208.tif 000006
【図５】
0003097208.tif 000007
【図６】
0003097208.tif 000008
【図７】
0003097208.tif 000009
【図８】
0003097208.tif 000010
【図９】
0003097208.tif 000011
【図１０】
0003097208.tif 000012
【図１１】
0003097208.tif 000013
【図１２】
0003097208.tif 000014
【図１３】
0003097208.tif 000015
【図１４】
0003097208.tif 000016
【図１５】
0003097208.tif 000017
【図１６】
0003097208.tif 000018
【図１７】
0003097208.tif 000019